(57)【特許請求の範囲】
【請求項１】
カメラが第１時間長内で採集したイメージ中に人の顔が存在することを特定するステップと、
前記カメラが第２時間長内で採集したイメージ中の人の顔を拡大するステップと、
前記拡大された人の顔のイメージをプレビューイメージとしてディスプレイを介して表示するステップと、
前記第２時間長が終了した後に、前記カメラが第３時間長内で前記採集したイメージをプレビューイメージとして前記ディスプレイを介して表示するステップとを、
ユーザの入力した撮影指令を受信する前までは繰り返し実行し、
前記撮影指令を受信した時には、前記撮影指令に基づき、前記カメラが採集したイメージを撮影し、
前記第２時間長と前記第１時間長とは連続する時間であることを特徴とするプレビューイメージの表示方法。
【請求項２】
前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
前記Ｎ個の人の顔から１個の人の顔を選択して拡大待ちの人の顔にするステップと、
前記拡大待ちの人の顔を拡大するステップと、を含み、
前記プレビューイメージの方法は、
前記Ｎ個の人の顔の中の拡大されていない人の顔を標記し、次回の拡大手順において前記標記に基づき残りＮ-１個の拡大されていない人の顔から１個の人の顔を選択して拡大するようにするステップをさらに含むことを特徴とする請求項１に記載のプレビューイメージの表示方法。
【請求項３】
前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
前記Ｎ個の人の顔から面積の最大の人の顔を選出して拡大待ちの人の顔にするステップと、
前記拡大待ちの人の顔を拡大するステップと、を含むことを特徴とする請求項１に記載のプレビューイメージの表示方法。
【請求項４】
前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
人の顔の面積の大きさに従い、前記Ｎ個の人の顔から面積のより大きい人の顔をＭ個選出して拡大待ちの人の顔にするステップと、
前記Ｍ個の拡大待ちの人の顔を１枚のイメージ中に合併し、合併した後のイメージ中の人の顔を拡大するステップと、を含むことを特徴とする請求項１に記載のプレビューイメージの表示方法。
【請求項５】
前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
人の顔の面積の大きさに従い、前記Ｎ個の人の顔から面積のより大きい人の顔をＭ個選出するステップと、
前記Ｍ個の人の顔から１個の人の顔を選択して拡大待ちの人の顔にするステップと、
前記拡大待ちの人の顔を拡大するステップと、を含み、
前記プレビューイメージの表示方法は、
前記Ｍ個の人の顔の中の拡大されていない人の顔を標記し、次回に前記標記に基づき残りＭ-１個の拡大されていない人の顔から１個の人の顔を選択して拡大するようにするステップをさらに含むことを特徴とする請求項１に記載のプレビューイメージの表示方法。
【請求項６】
カメラが第１時間長内で採集したイメージ中に人の顔が存在することを特定するための第１特定モジュールと、
前記カメラが第２時間長内で採集したイメージ中の人の顔を拡大するための第１拡大モジュールと、
前記第１拡大モジュールが拡大した人の顔のイメージをプレビューイメージとしてディスプレイを介して表示するための第１表示モジュールと、
前記第２時間長が終了した後に、前記カメラが第３時間長内で前記採集したイメージをプレビューイメージとして前記ディスプレイを介して表示するための第３表示モジュールと、
ユーザの入力した撮影指令を受信した時に、撮影指令に基づき、前記カメラが採集したイメージを撮影するための撮影モジュールと、を備え、
前記第２時間長と前記第１時間長とは連続する時間であることを特徴とするプレビューイメージの表示装置。
【請求項７】
前記カメラが前記第２時間長内で採集したイメージ中に人の顔がＮ個存在し、ＮはＮ≧２の正の整数である場合には、前記第１拡大モジュールは、
前記Ｎ個の人の顔から１個の人の顔を選択して拡大待ちの人の顔にするための第１選択サブモジュールと、
前記第１選択サブモジュールが選択した前記拡大待ちの人の顔を拡大するための第１拡大サブモジュールと、を備え、
前記プレビューイメージの表示装置は、
前記Ｎ個の人の顔の中の拡大されていない人の顔を標記し、次回の拡大手順において前記標記に基づき残りＮ-１個の拡大されてない人の顔から１個の人の顔を選択して拡大するようにするための第１標記モジュールをさらに備えることを特徴とする請求項６に記載のプレビューイメージの表示装置。
【請求項８】
前記カメラが前記第２時間長内で採集したイメージ中に人の顔がＮ個存在し、ＮはＮ≧２の正の整数である場合には、前記第１拡大モジュールは、
前記Ｎ個の人の顔から面積の最大の人の顔を選出して拡大待ちの人の顔にするための第２選択サブモジュールと、
第２選択サブモジュールが選択した前記拡大待ちの人の顔を拡大するための第２拡大サブモジュールと、を備えることを特徴とする請求項６に記載のプレビューイメージの表示装置。
【請求項９】
前記カメラが前記第２時間長内で採集したイメージ中に人の顔がＮ個存在し、ＮはＮ≧２の正の整数である場合には、前記第１拡大モジュールは、
人の顔の面積の大きさに従い、前記Ｎ個の人の顔から面積のより大きい人の顔をＭ個選出して拡大待ちの人の顔にするための第３選択サブモジュールと、
前記Ｍ個の拡大待ちの人の顔を１枚のイメージ中に合併するための合併サブモジュールと、
前記合併サブモジュールが合併した後のイメージ中の人の顔を拡大するための第３拡大サブモジュールと、を備えることを特徴とする請求項６に記載のプレビューイメージの表示装置。
【請求項１０】
前記カメラが前記第２時間長内で採集したイメージ中に人の顔がＮ個存在し、ＮはＮ≧２の正の整数である場合には、前記第１拡大モジュールは、
人の顔の面積の大きさに従い、前記Ｎ個の人の顔から面積のより大きい人の顔をＭ個選出するための第４選択サブモジュールと、
前記Ｍ個の人の顔から１個の人の顔を選択して拡大待ちの人の顔にするための第５選択サブモジュールと、
前記第５選択サブモジュールが選択した前記拡大待ちの人の顔を拡大するための第４拡大サブモジュールと、を備え、
前記プレビューイメージの表示装置は、
前記Ｍ個の人の顔の中の拡大されていない人の顔を標記し、次回に前記標記に基づき残りＭ-１個の拡大されていない人の顔から１個の人の顔を選択して拡大するようにするための第２標記モジュールをさらに備えることを特徴とする請求項６に記載のプレビューイメージの表示装置。
【請求項１１】
イメージを採集するためのカメラと、
イメージを表示するためのディスプレイと、
プロセッサが実行可能な指令を記憶するためのメモリと、を備え、
前記プロセッサは、
前記カメラが第１時間長内で採集したイメージ中に人の顔が存在するか否かを特定するステップと、
前記カメラが第２時間長内で採集したイメージ中の人の顔を拡大し、前記拡大された人の顔のイメージをプレビューイメージとしてディスプレイを介して表示するステップと、
前記第２時間長が終了した後に、前記カメラが第３時間長内で前記採集したイメージをプレビューイメージとして前記ディスプレイを介して表示するステップとを、
ユーザの入力した撮影指令を受信する前までに繰り返し実行し、
前記撮影指令を受信した時に、撮影指令に基づき、前記カメラが採集したイメージを撮影するように構成され、
前記第２時間長と前記第１時間長とは連続する時間であることを特徴とする端末デバイス。
【発明の詳細な説明】
【技術分野】
【０００１】
本発明は、通信分野に関し、特に、プレビューイメージの表示方法および装置に関する。
【背景技術】
【０００２】
近年、デジタルカメラおよびスマートフォンの普及に伴い、カメラおよび携帯等の撮影機器で記念撮影するのが人々の習慣になった。特に最近数年モバイルインターネットの台頭で、人々はさらに携帯、タブレット等のモバイル端末に依存して自分の身の回りの新鮮な事物を記録し、かつネットワーク上で共有する。自撮り棒の出現により自撮りがさらに便利になり、自撮り棒を使用して人たちはより多くの角度から自撮り写真を撮ることができ、写真の構図方法もより豊かになっている。自撮り棒が短時間内で全世界に風靡し、人たちの外出、自撮りの必需利器になった。
【０００３】
自撮り棒を使用して撮影する手順において、全景を撮影の構図に表示させるために、ユーザは自撮り棒を使用して撮影機器を遠くまで伸ばして撮影する必要があり、撮影機器が人の目から一定の距離があるため、撮影機器のディスプレイが人の目における視覚夾角が小さくなり、ユーザがディスプレイからプレビュー画面の詳細を見るのが難しくなった。自撮り棒をもっと遠くまで伸ばした時に、ユーザはディスプレイ中のプレビューインターフェースの自分さえはっきり見にくくなる。
【発明の概要】
【発明が解決しようとする課題】
【０００４】
関連技術中に存在する問題を克服するために、本発明はプレビューイメージの表示方法および装置を提供する。
【課題を解決するための手段】
【０００５】
本発明の実施例の第１の態様によれば、プレビューイメージの表示方法を提供する。前記プレビューイメージの表示方法は、
カメラが第１時間長内で採集したイメージ中に人の顔が存在することを特定するステップと、
前記カメラが第２時間長内で採集したイメージ中の人の顔を拡大するステップと、
前記拡大された人の顔のイメージをプレビューイメージとしてディスプレイを介して表示するステップと、
撮影指令を受信した時に、前記撮影指令に基づき、前記カメラが採集したイメージを撮影するステップと、を含み、前記第２時間長と前記第１時間長とは連続する時間である。
【０００６】
好ましくは、前記プレビューイメージの表示方法は、
前記カメラが前記第１時間長内で採集したイメージ中に人の顔が存在しないことを特定するステップと、
前記カメラが前記第２時間長内で採集したイメージをプレビューイメージとして前記ディスプレイを介して表示するステップと、をさらに含む。
【０００７】
好ましくは、前記撮影指令に基づき、前記カメラが採集したイメージを撮影する前に、前記プレビューイメージの表示方法は、
前記第２時間長が終了した後に、前記カメラが第３時間長内で採集したイメージをプレビューイメージとして前記ディスプレイを介して表示するステップをさらに含み、前記第３時間長と前記第２時間長とは連続する時間である。
【０００８】
好ましくは、前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
前記Ｎ個人の顔から１個の人の顔を選択して拡大待ちの人の顔にするステップと、
前記拡大待ちの人の顔を拡大するステップと、を含み、
前記プレビューイメージの方法は、
前記Ｎ個の人の顔の中の拡大されていない人の顔を標記し、次回の拡大手順において前記標記に基づき残りＮ-１個の拡大されていない人の顔から１個の人の顔を選択して拡大するようにするステップをさらに含む。
【０００９】
好ましくは、前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
前記Ｎ個の人の顔から面積の最大の人の顔を選出して拡大待ちの人の顔にするステップと、
前記拡大待ちの人の顔を拡大するステップと、を含む。
【００１０】
好ましくは、前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
人の顔の面積の大きさに従い、前記Ｎ個の人の顔から面積のより大きい人の顔をＭ個選出して拡大待ちの人の顔にするステップと、
前記Ｍ個の拡大待ちの人の顔を１枚のイメージ中に合併し、合併した後のイメージ中の人の顔を拡大するステップと、を含む。
【００１１】
好ましくは、前記カメラが前記第２時間長内で採集したイメージ中に人の顔がＮ個存在し、ＮはＮ≧２の正の整数である場合には、前記カメラが第２時間長内で採集したイメージ中の人の顔を拡大するステップは、
人の顔の面積の大きさに従い、前記Ｎ個の人の顔から面積のより大きい人の顔をＭ個選出するステップと、
前記Ｍ個の人の顔から１個の人の顔を選択して拡大待ちの人の顔にするステップと、
前記拡大待ちの人の顔を拡大するステップと、を含み、
前記プレビューイメージの表示方法は、
前記Ｍ個の人の顔の中の拡大されていない人の顔を標記し、次回に前記標記に基づき残りＭ-１個の拡大されていない人の顔から１個の人の顔を選択して拡大するようにするステップをさらに含む。
【００１２】
本発明の実施例の第２の態様によれば、プレビューイメージの表示装置を提供する。前記プレビューイメージの表示装置は、
カメラが第１時間長内で採集したイメージ中に人の顔が存在することを特定するための第１特定モジュールと、
前記カメラが第２時間長内で採集したイメージ中の人の顔を拡大するための第１拡大モジュールと、
前記第１拡大モジュールが拡大した人の顔のイメージをプレビューイメージとしてディスプレイを介して表示するための第１表示モジュールと、
撮影指令を受信した時に、撮影指令に基づき、前記カメラが採集したイメージを撮影するための撮影モジュールと、を備え、前記第２時間長と前記第１時間長とは連続する時間である。
【００１３】
好ましくは、前記プレビューイメージの表示装置は、
前記カメラが前記第１時間長内で採集したイメージ中に人の顔が存在しないことを特定するための第２特定モジュールと、
前記カメラが前記第２時間長内で採集したイメージをプレビューイメージとして前記ディスプレイを介して表示するための第２表示モジュールと、をさらに含む。
【００１４】
好ましくは、前記プレビューイメージの表示装置は、
前記第２時間長が終了した後に、前記カメラが第３時間長内で採集したイメージをプレビューイメージとして前記ディスプレイを介して表示するための第３表示モジュールをさらに備え、前記第３時間長と前記第２時間長とは連続する時間である。
【００１５】
好ましくは、前記カメラが前記第２時間長内で採集したイメージ中に人の顔がＮ個存在し、ＮはＮ≧２の正の整数である場合には、前記第１拡大モジュールは、
前記Ｎ個の人の顔から１個の人の顔を選択して拡大待ちの人の顔にするための第１選択サブモジュールと、
前記第１選択サブモジュールが選択した前記拡大待ちの人の顔を拡大するための第１拡大サブモジュールと、を備え、
前記プレビューイメージの表示装置は、
前記Ｎ個の人の顔の中の拡大されていない人の顔を標記し、次回の拡大手順において前記標記に基づき残りＮ-１個の拡大されてない人の顔から１個の人の顔を選択して拡大するようにするための第１標記モジュールをさらに備える。
【００１６】
好ましくは、前記カメラが前記第２時間長内で採集したイメージ中に人の顔がＮ個存在し、ＮはＮ≧２の正の整数である場合には、前記第１拡大モジュールは、
前記Ｎ個の人の顔から面積の最大の人の顔を選出して拡大待ちの人の顔にするための第２選択サブモジュールと、
第２選択サブモジュールが選択した前記拡大待ちの人の顔を拡大するための第２拡大サブモジュールと、を備える。
【００１７】
好ましくは、前記カメラが前記第２時間長内で採集したイメージ中に人の顔がＮ個存在し、ＮはＮ≧２の正の整数である場合には、前記第１拡大モジュールは、
人の顔の面積の大きさに従い、前記Ｎ個の人の顔から面積のより大きい人の顔をＭ個選出して拡大待ちの人の顔にするための第３選択サブモジュールと、
前記Ｍ個の拡大待ちの人の顔を１枚のイメージ中に合併するための合併サブモジュールと、
前記合併サブモジュールが合併した後のイメージ中の人の顔を拡大するための第３拡大サブモジュールと、を備える。
【００１８】
好ましくは、前記カメラが前記第２時間長内で採集したイメージ中に人の顔がＮ個存在し、ＮはＮ≧２の正の整数である場合には、前記第１拡大モジュールは、
人の顔の面積の大きさに従い、前記Ｎ個の人の顔から面積のより大きい人の顔をＭ個選出するための第４選択サブモジュールと、
前記Ｍ個の人の顔から１個の人の顔を選択して拡大待ちの人の顔にするための第５選択サブモジュールと、
前記第５選択サブモジュールが選択した前記拡大待ちの人の顔を拡大するための第４拡大サブモジュールと、を備え、
前記プレビューイメージの表示装置は、
前記Ｍ個の人の顔の中の拡大されていない人の顔を標記し、次回に前記標記に基づき残りＭ-１個の拡大されていない人の顔から１個の人の顔を選択して拡大するようにするための第２標記モジュールをさらに備える。
【００１９】
本発明の実施例の第３の態様によれば、端末デバイスを提供する。前記端末デバイスは、
イメージを採集するためのカメラと、
イメージを表示するためのディスプレイと、
プロセッサが実行可能な指令を記憶するためのメモリと、を備え、
前記プロセッサは、
前記カメラが第１時間長内で採集したイメージ中に人の顔が存在するか否かを特定し、
前記カメラが第２時間長内で採集したイメージ中の人の顔を拡大し、前記拡大された人の顔のイメージをプレビューイメージとしてディスプレイを介して表示し、
撮影指令を受信した時に、撮影指令に基づき、前記カメラが採集したイメージを撮影するように構成され、前記第２時間長と前記第１時間長とは連続する時間である。
【発明の効果】
【００２０】
本発明の実施例にかかる技術案は、以下の格別な作用効果を含むことができる。
【００２１】
カメラが第１時間長内で採集したイメージ中に人の顔が存在すると特定した時に、カメラが第２時間長内で採集したイメージ中の人の顔を拡大し、拡大された人の顔のイメージをプレビューイメージとしてディスプレイにより表示し、撮影指令を受信した時に、撮影指令に基づきカメラが採集したイメージを撮影する。前記第２時間長および第１時間長は連続する時間である。前記方法では、拡大された人の顔のイメージを表示することにより、ユーザは自撮り棒を使用して撮影しても自分の顔の詳細をはっきり見ることができる。
【００２２】
上述した一般的な記述および後続する詳細な記述は、単に例示的および解釈的なものであり、本発明を制限できるものでないと理解されるべきである。
【図面の簡単な説明】
【００２３】
ここでの図面は、明細書を構成する一部として見なされ、本発明に適した実施例を示し、かつ、明細書の文字記載とともに本発明の仕組みを解釈するために用いられる。
【図１】一実施例にかかるプレビューイメージの表示方法を示すフローチャートである。
【図２】一実施例にかかるプレビューイメージの表示方法を示すフローチャートである。
【図３】一実施例にかかるプレビューイメージの表示方法を示すフローチャートである。
【図４】一実施例にかかるプレビューイメージの表示方法を示すフローチャートである。
【図５】一実施例にかかるプレビューイメージの表示方法を示すフローチャートである。
【００２４】
【図６】一実施例にかかるプレビューイメージの表示方法を示すフローチャートである。
【図７】一実施例にかかるプレビューイメージの表示装置を示すブロック図である。
【図８】一実施例にかかるプレビューイメージの表示装置を示すブロック図である。
【図９】一実施例にかかるプレビューイメージの表示装置を示すブロック図である。
【図１０】一実施例にかかるプレビューイメージの表示装置を示すブロック図である。
【図１１】一実施例にかかるプレビューイメージの表示装置を示すブロック図である。
【図１２】一実施例にかかるプレビューイメージの表示装置を示すブロック図である。
【図１３】一実施例にかかるプレビューイメージの表示装置を示すブロック図である。
【図１４】一実施例にかかる端末デバイスを示す実体ブロック図である。
【図１５】一実施例にかかる端末デバイスに用いるブロック図である。
【発明を実施するための形態】
【００２５】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００２６】
図１は一実施例にかかるプレビューイメージの表示方法を示すフローチャートであり、当該方法は撮影機能を有する端末デバイスに適用され、当該端末デバイスはスマートフォン、デジタルカメラ等であってもよい。図１に示すように、当該プレビューイメージの表示方法は以下のステップを含む。
【００２７】
ステップＳ１０１では、カメラが第１時間長内で採集したイメージ中に人の顔が存在することを特定する。
【００２８】
本実施例の方法は主に自撮り棒を使用して撮影する場面に適用され、かつプレビューイメージの自動切り替えモードを定義した。当該プレビューイメージの自動切り替えモードで、ディスプレイは拡大された人の顔のイメージおよび最初採集されたイメージを交替して表示することができる。端末デバイスが撮影機能を起動した後に、カメラを介してイメージを採集し始め、この時に端末デバイスは採集されたイメージをプレビューイメージとしてディスプレイを介して表示するとともに、カメラが第１時間長内に採集したイメージ中に人の顔が存在するか否かを検出し、第１時間長は人為的に設定されてもよく、例えば、１秒または２秒でもよい。端末デバイスは常用の人の顔の識別方法を使用して採集されたイメージ中に人の顔が存在するか否かを特定してもよい。
【００２９】
本実施例では、ユーザは自撮り棒を使用して撮影する際に手動でプレビューイメージの自動切り替えモードを起動してもよく、端末デバイスによりユーザが自撮り棒を使用していることを検出した時に、プレビューイメージの自動切り替えモードを自動的に起動してもよい。ユーザが自撮り棒を使用して撮影する時には、自撮り棒を携帯電話に先に接続する必要があり、当該接続は無線接続または有線接続でもよく、無線接続は例えばブルートゥース（登録商標）接続であり、有線接続はデータ線を採用して端末デバイスと自撮り棒とを接続する。データ線を使用して接続する場合には、端末デバイスはＵＳＢインターフェースの接続を検出した後に、接続されたデバイスが自撮り棒であると識別し、接続されたデバイスが自撮り棒であると識別した時に、プレビューイメージの自動切り替えモードを起動する。無線接続を使用する場合には、端末デバイスはブルートゥース（登録商標）マッチングにより接続されたデバイスが自撮り棒であると特定した時に、プレビューイメージの自動切り替えモードを起動する。
【００３０】
ステップＳ１０２では、カメラが第２時間長内で採集したイメージ中の人の顔を拡大し、拡大した人の顔のイメージをプレビューイメージとしてディスプレイを介して表示する。
【００３１】
カメラはずっとイメージを採集し、第２時間長内でカメラは１フレームのイメージを採集するたびに、当該フレームイメージに対し人の顔の識別を行い、人の顔の領域を識別した後に、人の顔の領域を拡大し、人の顔の領域を目標サイズまで拡大し、目標サイズは端末デバイスのディスプレイの大きさに基づき設定され、最後に拡大した人の顔の領域をプレビューイメージとして表示し、端末デバイスは拡大する時にイメージを１フレームずつ拡大し、表示する時もイメージを１フレームずつ表示する。第２時間長もあらかじめ設定されたものであり、端末デバイスは幾つの時間をユーザに提供し選択させ、例えば、１秒、１．５秒および２秒であっても良く、第２時間長はタイマーにより実現され、タイマーのタイミング時間長が第２時間長であり、第２時間長と第１時間長は連続する時間である。
【００３２】
ある場面では、人の顔の存在を検出した時に、端末はカメラが採集した完全なイメージの表示インターフェースから退出し、人の顔を拡大するモードに入り、拡大された人の顔の領域をメインイメージとしてディスプレイに全画面表示する。別の場面では、ピクチャインピクチャの形態を採用しても良く、拡大画面と完全なイメージとを当時に表示する。つまり、拡大された人の顔の領域をディスプレイ上に全画面表示するとともに、カメラが採集した完全なイメージをディスプレイ上の別のプレビュー表示インターフェースに表示し、プレビュー表示インターフェースはディスプレイの４つの片隅に位置してもよく、プレビュー表示インターフェースの寸法はディスプレイのインターフェース寸法より小さいため、ディスプレイのインターフェースの表示に影響を及ぼさない。
【００３３】
本ステップにおいて、人の顔を拡大する目的は、ユーザが自分をはっきり見ることができるようにするためである。ユーザが自撮り棒を使用して撮影する手順では、全景が撮影の構図内に入るようにするために、自撮り棒を介して端末デバイスを伸ばしすぎてしまい、この時のプレビューイメージ中のユーザの顔は小さくなる。本申請の実施例では、ユーザが自分の顔をはっきり見ることができるようにするために、ユーザの顔を拡大した。
【００３４】
ステップＳ１０３では、撮影指令を受信した時に、撮影指令に基づきカメラが採集したイメージを撮影する。
【００３５】
ユーザは拡大された人の顔により自分の顔の詳細をはっきり見ることができるため、もしユーザが自分の現在の顔のイメージに満足する場合には、第２時間長が終了前に撮影ボタンを押して撮影してもよく、もしユーザが自分の現在の顔のイメージに満足しない場合には、自分の位置および/または面部表情を調整しても良く、ディスプレイは拡大された人の顔のイメージおよびカメラが最初採集したイメージを交替で表示するため、ユーザは自分の顔の詳細をはっきり見ることができ、ユーザは自分の顔のイメージに満足してから、撮影ボタンを押して撮影する。
【００３６】
本実施例では、カメラが第１時間長内で採集したイメージ中に人の顔が存在すると特定した時に、カメラが第２時間長内で採集したイメージ中の人の顔を拡大し、拡大された人の顔のイメージをプレビューイメージとしてディスプレイを介して表示し、撮影指令を受信した時に、撮影指令に基づき前記カメラが採集したイメージを撮影する。これにより、ユーザは自撮り棒を使用して撮影する手順において、自分の顔の詳細をはっきり見ることができる。
【００３７】
図２は一実施例にかかるプレビューイメージの表示方法を示すフローチャートであり、図２に示すように、当該プレビューイメージの表示方法は以下のステップを含む。
【００３８】
ステップＳ２０１では、カメラが第１時間長内で採集したイメージを取得する。
【００３９】
ステップＳ２０２では、カメラが第１時間長内で採集したイメージ中に人の顔が存在するか否かを特定する。
【００４０】
プレビューイメージの自動切り替えモードを起動した後に、カメラはイメージを採集し、カメラが第１時間長内で採集したイメージ中に人の顔が存在するか否かを特定し、カメラが第１時間長内で採集したイメージ中に人の顔が存在する場合には、ステップ２０３を実行し、カメラが第１時間長内で採集したイメージ中に人の顔が存在しないことを特定した場合には、ステップ２０４を実行する。
【００４１】
ステップＳ２０３では、カメラが第２時間長内で採集したイメージ中の人の顔を拡大し、拡大された人の顔のイメージをプレビューイメージとしてディスプレイを介して表示する。
【００４２】
ステップＳ２０４では、カメラが第２時間長内で採集したイメージをプレビューイメージとしてディスプレイを介して表示する。
【００４３】
カメラが第１時間長内で採集したイメージ中に人の顔が存在しないことを特定した場合には、イメージを拡大処理する必要はなく、カメラが第２時間長内で採集したイメージをプレビューイメージにしてから表示すればよい。
【００４４】
ステップＳ２０５では、第２時間長が終了した後に、カメラが第３時間長内で採集したイメージをプレビューイメージとしてディスプレイを介して表示する。
【００４５】
ステップＳ２０３および２０４の後にステップＳ２０５を実行し、端末デバイスは第２時間長の終了を特定する。もし第２時間長がタイマーを介して実現される場合には、端末デバイスはタイマーの時間切れを選出した際に、第２時間長の終了を特定する。カメラは手順全体においてずっとイメージを採集し、端末デバイスはカメラが第３時間長に採集したイメージをプレビューイメージとしてディスプレイを介して表示し、第３時間長内で採集したイメージは拡大処理しない。第３時間長および第２時間長は連続する時間であり、好ましくは、第３時間長と第２時間長は等しく、もちろん、第３時間長は第２時間長と等しくなくてもよく、本実施例はそれについて限定しない。
【００４６】
ステップＳ２０３では、ユーザが自分をはっきり見ることができるように、採集したイメージ中の人の顔を拡大し、ユーザが自分をはっきり見た後には、ユーザが完全な構図を見ることができるように、本ステップにより端末デバイスは最初採集したイメージをユーザに表示する。ここで、最初採集したイメージとは、人の顔を拡大する前のイメージを指す。
【００４７】
ステップＳ２０６では、第３時間長が終了した後に、ステップＳ２０１の実行に戻り、撮影指令を受信した時に、撮影指令に基づきカメラが採集したイメージを撮影する。
【００４８】
本実施例では、ユーザの入力した撮影指令を受信する前までには、端末デバイスはステップＳ２０１〜Ｓ２０６を循環させながら実行する。つまり、拡大された人の顔のイメージと最初採集したイメージとを交替で表示する。つまり、拡大された人の顔のイメージを第２時間長表示してから、最初採集したイメージを第３時間長表示することにより、ユーザは自分および構図全体をはっきり見ることができ、ユーザがプレビューイメージ中のイメージが自分の要求に相応しいと思ったら、撮影ボタンを押し、端末デバイスは撮影指令を受信した後に、撮影指令に基づき前記カメラが採集したイメージを撮影する。
【００４９】
本実施例の方法では、カメラが第１時間長内で採集したイメージ中に人の顔が存在するか否かを特定し、もし人の顔が存在する場合には、カメラが第２時間長内で採集したイメージ中の人の顔を拡大してから表示し、もし人の顔が存在しない場合には、カメラが第２時間長内で採集したイメージを直接表示し、第２時間長の終了を特定した後に、カメラが第３時間長内で採集したイメージをプレビューイメージとしてディスプレイを介して表示し、前記第３時間長の終了を特定した後に、上記手順の実行に戻り、撮影指令を受信したら、撮影指令に基づき、カメラが採集したイメージを撮影する。前記方法は、拡大された人の顔のイメージと最初採集したイメージとを交替で表示することにより、ユーザは自撮り棒を使用して撮影する時に、構図全体をはっきり見ることができるだけではなく、自分の顔の詳細もはっきり見ることができる。
【００５０】
図３は一実施例にかかるプレビューイメージの表示方法を示すフローチャートであり、図３に示すように、本実施例にかかる方法は以下のステップを含む。
【００５１】
ステップＳ３０１では、カメラが第１時間長内で採集したイメージを取得する。
【００５２】
ステップＳ３０２では、カメラが第１時間長内で採集したイメージ中に人の顔が存在するか否かを特定する。
【００５３】
カメラが第１時間長内で採集したイメージ中に人の顔が存在する場合には、ステップＳ３０３を実行し、カメラが第１時間長内で採集したイメージ中に人の顔が存在しない場合には、ステップＳ３０４を実行する。
【００５４】
ステップＳ３０３では、カメラが第２時間長内で採集したイメージ中に人の顔がＮ個存在する場合には、Ｎ個の人の顔から１個の人の顔を選択して拡大待ちの人の顔にする。
【００５５】
カメラが採集したイメージ中に人の顔がＮ個存在する可能性があり、ＮはＮ≧２の正の整数である場合には、端末デバイスは人の顔をランダムに１個選択して拡大待ちの人の顔にしてもよく、所定の選択ルール、例えば、人の顔の面積の大きさに従い選択してもよい。ステップＳ３０３の後に、ステップＳ３０５を実行する。
【００５６】
ステップＳ３０４では、カメラが第２時間長内で採集したイメージをプレビューイメージとしてディスプレイを介して表示する。
【００５７】
ステップＳ３０４の後にステップＳ３０７を実行する。
【００５８】
ステップ３０５では、拡大待ちの人の顔を拡大し、拡大された人の顔をプレビューイメージとしてディスプレイを介して表示する。
【００５９】
ステップＳ３０６では、Ｎ個の人の顔の中の拡大されていない人の顔を標記する。
【００６０】
標記する目的は、端末デバイスが次回の拡大手順において標記に基づき残りのＮ-１個の拡大されていない人の顔から人の顔を１つ選択して拡大するようにするためである。このような形態でＮ回を循環し、人の顔を全部拡大することにより、人々が自分の顔の詳細をはっきり見ることができる。毎回の拡大手順において、端末デバイスは標記に基づき拡大されていない人の顔を選択して拡大する。撮影者はＮ回の循環が終了する前に、撮影しても良い。
【００６１】
ステップＳ３０７では、第２時間長が終了した後に、カメラが第３時間長内で採集したイメージをプレビューイメージとしてディスプレイを介して表示する。
【００６２】
ステップ３０８では、第３時間長が終了した後に、ステップＳ３０１の実行に戻り、撮影指令を受信した時に、撮影指令に基づき、カメラが採集したイメージを撮影する。
【００６３】
本実施例の方法では、カメラが第２時間長内で採集したイメージ中に人の顔がＮ個存在する場合には、Ｎ個の人の顔から１個の人の顔を選択して拡大待ちの人の顔とし、拡大待ちの人の顔を拡大し、拡大された人の顔をプレビューイメージとしてディスプレイを介して表示し、かつＮ個の拡大待ちの人の顔の中の拡大されていない人の顔を標記し、次回の拡大手順において標記に基づき残りのＮ-１個の拡大されていない人の顔から１個の人の顔を選択して拡大するようにする。Ｎ回の循環により、イメージ中の人々は拡大された後の自分の顔の詳細をはっきり見ることができる。
【００６４】
図４は一実施例にかかるプレビューイメージの表示方法を示すフローチャートであり、図４に示すように、本実施例にかかる方法は以下のステップを含む。
【００６５】
ステップＳ４０１では、カメラが第１時間長内で採集したイメージを取得する。
【００６６】
ステップＳ４０２では、カメラが第１時間長内で採集したイメージ中に人の顔が存在するか否かを特定する。
【００６７】
カメラが第１時間長内で採集したイメージ中に人の顔が存在する場合には、ステップＳ４０３を実行し、カメラが第１時間長内で採集したイメージ中に人の顔が存在しないことを特定した場合には、ステップＳ４０４を実行する。
【００６８】
ステップＳ４０３では、カメラが第２時間長内で採集したイメージ中に人の顔がＮ個存在する場合には、Ｎ個の人の顔から面積の最大の人の顔を選出し、拡大待ちの人の顔にする。
【００６９】
カメラが採集したイメージ中に複数の人の顔が存在する可能性があり、この時にＮ個の人の顔から面積の最大の人の顔を選択して拡大待ちの人の顔にし、ＮはＮ≧２の正の整数である。好ましくは、端末デバイスは人の顔を１つ任意に選択して拡大待ちの人の顔にしてもよく、または他の形態に従い人の顔を１つ選択して拡大待ちの人の顔にしてもよい。ステップＳ４０３の後に、ステップＳ４０５を実行する。
【００７０】
ステップＳ４０４では、カメラが第２時間長内で採集したイメージをプレビューイメージとしてディスプレイを介して表示する。
【００７１】
ステップＳ４０４の後にステップＳ４０６を実行する。
【００７２】
ステップＳ４０５では、拡大待ちの人の顔を拡大し、拡大された人の顔をプレビューイメージとしてディスプレイを介して表示する。
【００７３】
ステップＳ４０６では、第２時間長が終了した後に、カメラが第３時間長内で採集したイメージをプレビューイメージとしてディスプレイを介して表示する。
【００７４】
ステップＳ４０７では、第３時間長が終了した後に、ステップＳ４０１の実行に戻り、撮影指令を受信した時に、撮影指令に基づき、カメラが採集したイメージを撮影する。
【００７５】
本実施例の方法では、カメラが第２時間長内で採集したイメージ中に人の顔がＮ個存在する場合には、Ｎ個の人の顔から面積の最大の人の顔を選出し、拡大待ちの人の顔にし、拡大待ちの人の顔を拡大し、拡大された人の顔をプレビューイメージとしてディスプレイを介して表示する。人の顔が多い場合に、もし各個の人の顔を拡大すると、長い時間がかかるため、本実施例の方法では、毎回面積の最大の人の顔を選択して拡大させ、プレビューイメージの表示形態をさらにフレックシブルにする。
【００７６】
図５は一実施例にかかるプレビューイメージの表示方法を示すフローチャートであり、図５に示すように、本実施例にかかる方法は以下のステップを含む。
【００７７】
ステップＳ５０１では、カメラが第１時間長内で採集したイメージを取得する。
【００７８】
ステップＳ５０２では、カメラが第１時間長内で採集したイメージ中に人の顔が存在するか否かを特定する。
【００７９】
カメラが第１時間長内で採集したイメージ中に人の顔が存在する場合には、ステップＳ５０３を実行し、カメラが第１時間長内で採集したイメージ中に人の顔が存在しないことを特定した場合には、ステップＳ５０４を実行する。
【００８０】
ステップＳ５０３では、カメラが第２時間長内で採集したイメージ中に人の顔がＮ個存在する場合には、人の顔の面積の大きさに従い、Ｎ個の人の顔から面積の最大の人の顔をＭ個選出し、拡大待ちの人の顔にする。
【００８１】
ステップＳ５０３の後に、ステップＳ５０５を実行する。
【００８２】
ステップＳ５０４では、カメラが第２時間長内で採集したイメージをプレビューイメージとしてディスプレイを介して表示する。
【００８３】
ステップＳ５０４の後にステップＳ５０６を実行する。
【００８４】
ステップＳ５０５では、Ｍ個の拡大待ちの人の顔を１枚のイメージ中に合併し、合併されたイメージ中の人の顔を拡大し、拡大された人の顔をプレビューイメージとしてディスプレイを介して表示する。
【００８５】
本実施例では、いくつの面積のより大きい人の顔を選出し、１枚のイメージ中に合併し、合併されたイメージ中のＭ個の人の顔を１つの全体として拡大し、拡大された人の顔をプレビューイメージとしてディスプレイを介して表示する。
【００８６】
ステップＳ５０６では、第２時間長が終了した後に、カメラが第３時間長内で採集したイメージをプレビューイメージとしてディスプレイを介して表示する。
【００８７】
ステップＳ５０７では、第３時間長が終了した後に、ステップＳ５０１の実行に戻り、撮影指令を受信した時に、撮影指令に基づき、カメラが採集したイメージを撮影する。
【００８８】
本実施例の方法では、カメラが第２時間長内で採集したイメージ中に人の顔がＮ個存在する場合には、Ｎ個の人の顔から面積のより大きい人の顔をＭ個選出し、拡大待ちの人の顔にし、Ｍ個の拡大待ちの人の顔を１枚のイメージ中に合併し、合併されたイメージ中の人の顔を拡大し、拡大された人の顔をプレビューイメージとしてディスプレイを介して表示する。人の顔が多い場合に、もし各個の人の顔を拡大すると、長い時間がかかるため、本実施例の方法では、毎回面積のより大きい人の顔をＭ個選択して合併した後に一気に拡大し、プレビューイメージの表示形態をさらにフレックシブルにする。
【００８９】
図６は一実施例にかかるプレビューイメージの表示方法を示すフローチャートであり、図６に示すように、本実施例にかかる方法は以下のステップを含む。
【００９０】
ステップＳ６０１では、カメラが第１時間長内で採集したイメージを取得する。
【００９１】
ステップＳ６０２では、カメラが第１時間長内で採集したイメージ中に人の顔が存在するか否かを特定する。
【００９２】
カメラが第１時間長内で採集したイメージ中に人の顔が存在すると確定した場合には、ステップＳ６０３を実行し、カメラが第１時間長内で採集したイメージ中に人の顔が存在しない場合には、ステップＳ６０４を実行する。
【００９３】
ステップＳ６０３では、カメラが第２時間長内で採集したイメージ中に人の顔がＮ個存在する場合には、人の顔の面積の大きさに従い、Ｎ個の人の顔から面積のより大きいＭ個人の顔を選出する。
【００９４】
ステップＳ６０３の後にステップＳ６０５を実行する。
【００９５】
ステップ６０４では、カメラが第２時間長内に採集したイメージをプレビューイメージとしてディスプレイを介して表示する。
【００９６】
ステップＳ６０４の後にステップＳ６０８を実行する。
【００９７】
ステップＳ６０５では、Ｍ個の人の顔から人の顔を１つ選択して拡大待ちの人の顔にする。
【００９８】
ステップＳ６０６では、拡大待ちの人の顔を拡大し、拡大された人の顔をプレビューイメージとしてディスプレイを介して表示する。
【００９９】
ステップＳ６０７では、Ｍ個の人の顔中の拡大されていない人の顔を標記する。
【０１００】
標記の目的は端末デバイスが次回の拡大手順において標記に基づき残りのＭ-１個の拡大されていない人の顔から人の顔を１つ選択して拡大するようにするためであり、このような形態で、Ｍ回の循環により各人の顔を拡大し、毎回の拡大手順において、端末デバイスは標記に基づき拡大されていない人の顔を選択して拡大する。
【０１０１】
ステップＳ６０８では、第２時間長が終了した後に、カメラが第３時間長内で採集したイメージをプレビューイメージとしてディスプレイを介して表示する。
【０１０２】
ステップＳ６０９では、第３時間長が終了した後に、ステップＳ６０１の実行に戻り、撮影指令を受信した時に、撮影指令に基づき、カメラが採集したイメージを撮影する。
【０１０３】
本実施例の方法では、カメラが第２時間長内で採集したイメージ中に人の顔がＮ個存在する場合には、人の顔の面積の大きさに従い、Ｎ個の人の顔から面積のより大きい人の顔をＭ個選択して拡大待ちの人の顔にし、Ｍ個の拡大待ちの人の顔から人の顔を１つ選択して拡大し、拡大された人の顔をプレビューイメージとしてディスプレイを介して表示し、かつＭ個の拡大待ちの人の顔中の拡大されていない人の顔を標記し、次回の拡大手順において標記に基づき残りＭ-１個の拡大されていない人の顔から人の顔を１つ選択して拡大するようにする。Ｍ回の循環により、イメージ中のＭ人はみんな拡大された後の自分の顔の詳細をはっきり見ることができる。
【０１０４】
図７は一実施例にかかるプレビューイメージの表示装置を示すブロック図であり、当該装置は端末デバイスに適用され、図７に示すように、当該装置は第１特定モジュール１１、第１拡大モジュール１２、第１表示モジュール１３および撮影モジュール１４を備える。
【０１０５】
第１特定モジュール１１は、カメラが第１時間長内で採集したイメージ中に人の顔が存在することを特定するように構成される。
【０１０６】
第１拡大モジュール１２は、前記カメラが第２時間長内で採集したイメージ中の人の顔を拡大するように構成され、前記第２時間長および前記第１時間長は連続する時間である。
【０１０７】
第１表示モジュール１３は、前記第１拡大モジュール１２が拡大した人の顔のイメージをプレビューイメージとしてディスプレイを介して表示する。
【０１０８】
撮影モジュール１４は、撮影指令を受信した時に、撮影指令に基づき撮影する。
【０１０９】
図８は一実施例にかかるプレビューイメージの表示装置を示すブロック図であり、図８に示すように、当該装置は図７の前記装置に加えて、第２特定モジュール１５および第２表示モジュール１６をさらに備える。
【０１１０】
第２特定モジュール１５は、前記カメラが前記第１時間長内で採集したイメージ中に人の顔が存在しないことを特定するように構成される。
【０１１１】
第２表示モジュール１６は、前記カメラが前記第２時間長内で採集したイメージをプレビューイメージとして前記ディスプレイを介して表示するように構成される。
【０１１２】
図９は一実施例にかかるプレビューイメージの表示装置を示すブロック図であり、図９に示すように、当該装置は図８の前記装置に加えて、第３表示モジュール１７をさらに備える。
【０１１３】
第３表示モジュール１７は、前記第２時間長が終了した後に、前記カメラが第３時間長内で採集したイメージをプレビューイメージとして前記ディスプレイを介して表示するように構成され、前記第３時間長および前記第２時間長は連続する時間である。
【０１１４】
図１０は一実施例にかかるプレビューイメージの表示装置を示すブロック図であり、本実施例では、カメラが第２時間長内で採集したイメージ中に人の顔がＮ個存在し、ＮはＮ≧２の正の整数であり、図１０に示すように、当該装置は図７に示す装置に加えて、第１拡大モジュール１２は、
前記Ｎ個の人の顔から人の顔を１つ選択して拡大待ちの人の顔にするように構成される第１選択サブモジュール１２０と、
前記第１選択サブモジュール１２０が選択した前記拡大待ちの人の顔を拡大するように構成される第１拡大サブモジュール１２１と、を備え、
当該装置は、
前記Ｎ個の人の顔の中の拡大されていない人の顔を標記し、次回の拡大手順において前記標記に基づき残りＮ-１個の拡大されていない人の顔から人の顔を１つ選択して拡大するように構成される第１標記モジュール１８をさらに備える。
【０１１５】
図１１は一実施例にかかるプレビューイメージの表示装置を示すブロック図であり、本実施例では、カメラが第２時間長内で採集したイメージ中に人の顔がＮ個存在し、ＮはＮ≧２の正の整数であり、図１１に示すように、当該装置は図７に示す装置に加えて、第１拡大モジュール１２は、
前記Ｎ個の人の顔から面積の最大の人の顔を選択して拡大待ちの人の顔にするように構成される第２選択サブモジュール１２２と、
第２選択サブモジュール１２２が選択した前記拡大待ちの人の顔を拡大するように構成される第２拡大サブモジュール１２３と、を備える。
【０１１６】
図１２は一実施例にかかるプレビューイメージの表示装置を示すブロック図であり、本実施例では、カメラが第２時間長内で採集したイメージ中に人の顔がＮ個存在し、ＮはＮ≧２の正の整数であり、図１２に示すように、当該装置は図７に示す装置に加えて、第１拡大モジュール１２は、
人の顔の面積の大きさに従い、前記Ｎ個の人の顔から面積の大きい人の顔をＭ個選出して拡大待ちの人の顔にするように構成される第３選択サブモジュール１２４と、
前記Ｍ個の拡大待ちの人の顔を１枚のイメージ中に合併するように構成される合併サブモジュール１２５と、
前記合併サブモジュール１２５が合併した後のイメージ中の人の顔を拡大するように構成される第３拡大サブモジュール１２６と、を備える。
【０１１７】
図１３は一実施例にかかるプレビューイメージの表示装置を示すブロック図であり、本実施例では、カメラが第２時間長内で採集したイメージ中に人の顔がＮ個存在し、ＮはＮ≧２の正の整数であり、図１３に示すように、当該装置は図７に示す装置に加えて、第１拡大モジュール１２は、
人の顔の面積の大きさに従い、前記Ｎ個の人の顔から面積の大きい人の顔をＭ個選出するように構成される第４選択サブモジュール１２７と、
前記Ｍ個の人の顔から１個の人の顔を選択して拡大待ちの人の顔にするように構成される第５選択サブモジュール１２８と、
前記第５選択サブモジュール１２８が選択した前記拡大待ちの人の顔を拡大するように構成される第４拡大サブモジュール１２９と、を備え、
当該装置は、
前記Ｍ個の人の顔の中の拡大されていない人の顔を標記し、次回に前記標記に基づき残りＭ-１個の拡大されていない人の顔から１個の人の顔を選択して拡大するように構成される第２標記モジュール１９をさらに備える。
【０１１８】
上記実施例中のプレビューイメージの表示装置については、そのうちの各モジュールが操作を実行する具体的な形態は当該方法に関する実施例において詳細に説明したため、ここで繰り返し説明しない。
【０１１９】
図１４は一実施例にかかる端末デバイスを示す実体ブロック図であり、図１４に示すように、端末デバイス２００は、カメラ２１、ディスプレイ２２、メモリ２３およびプロセッサ２４を備え、メモリ２３はプロセッサ２４が実行可能な指令を記憶するために用いられ、カメラ２１、ディスプレイ２２およびメモリ２３はシステムバスを介してプロセッサ２４と接続かつ通信する。
【０１２０】
ただし、プロセッサ２４は、
前記カメラ２１が第１時間長内で採集したイメージ中に人の顔が存在することを特定し、
前記カメラ２１が第２時間長内で採集したイメージ中の人の顔を拡大し、前記拡大された人の顔のイメージをプレビューイメージとしてディスプレイ２２を介して表示し、
撮影指令を受信した時に、前記撮影指令に基づき、前記カメラが採集したイメージを撮影するように構成され、前記第２時間長および前記第１時間長は連続する時間である。
【０１２１】
上記端末デバイスの実体実施例では、プロセッサは中央処理ユニット（英語：Ｃｅｎｔｒａｌ  Ｐｒｏｃｅｓｓｉｏｎｇ  Ｕｎｉｔ、略称：ＣＰＵ）であってもよく、他の汎用のプロセッサ、デジタル信号プロセッサ（英語：Ｄｉｇｉｔａｌ  Ｓｉｇｎａｌ  Ｐｒｏｓｅｓｓｏｒ、略称：ＤＳＰ）、専用集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、略称：ＡＳＩＣ）等であってもよいと理解されるべきである。汎用プロセッサはマイクロプロセッサであってもよく、または、当該プロセッサはいかなる慣例のプロセッサ等であってもよく、かつ、前述のメモリは読み出し専用メモリ（英語：ｒｅａｄ−ｏｎｌｙ  ｍｅｍｏｒｙ、略称：ＲＯＭ）、ランダムアクセスメモリ（英語：ｒａｄｏｍ  ａｃｃｅｓｓ  ｍｅｍｏｒｙ、略称：ＲＡＭ）、フラッシュメモリ、ハードディスクまたはソリッドステートディスクであってもよい。本発明の実施例が開示した方法のステップに合わせて直接ハードウェアプロセッサによる実行完成、またはプロセッサ中のハードウェアおよびソフトウェアモジュールの組み合わせによる実行完成で具現してもよい。
【０１２２】
図１５は一実施例にかかる端末デバイスに用いるブロック図である。例えば、端末デバイス８００は携帯電話、コンピュータ、デジタル放送端末、メッセージ送受信機器、ゲームコンソール、タブレットデバイス、医療設備、フィットネス機器、ＰＤＡ等であってもよい。
【０１２３】
図１５を参照すると、端末デバイス８００は、処理ユニット８０２、メモリ８０４、電源ユニット８０６、マルチメディアユニット８０８、オーディオユニット８１０、入力/出力（Ｉ／Ｏ）インターフェース８１２、センサユニット８１４、および、通信ユニット８１６のうちの１つまたは複数を含んでもよい。
【０１２４】
処理ユニット８０２は、通常は、表示、電話発呼、データ通信、カメラ操作および記録操作に関連する操作のような、端末デバイス８００の全般操作を制御する。処理ユニット８０２は、上記方法の全部または一部のステップを実施させるように、指令を実行するための１つまたは複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【０１２５】
メモリ８０４は、各タイプのデータを記憶して端末デバイス８００での操作をサポートするように構成される。これらのデータの例示は、端末デバイス８００で操作するための任意のアプリケーションもしくは方法の指令、連絡人データ、電話帳データ、メッセージ、ピクチャ、ビデオなどを含む。メモリ８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１２６】
電源ユニット８０６は、端末デバイス８００のユニットのそれぞれに電力を供給する。電源ユニット８０６は、電源管理システム、１つまたは複数の電源、並びに、端末デバイス８００用の電力を生成、管理および配分するに関する他のユニットを含んでもよい。
【０１２７】
マルチメディアユニット８０８は、前記端末デバイス８００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット８０８は、１つのフロントカメラおよび/またはバックカメラを含む。端末デバイス８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１２８】
オーディオユニット８１０は、オーディオ信号を出力および/または入力するように構成される。例えば、オーディオユニット８１０は、マイク（ＭＩＣ）を備え、端末デバイス８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、オーディオ信号を出力するためのスピーカをさらに含む。
【０１２９】
Ｉ/Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３０】
センサユニット８１４は、様々な側面での状態推定を端末デバイス８００に供給するための１つまたは複数のセンサを含む。例えば、センサユニット８１４は、端末デバイス８００のオン/オフ状態、ユニットの相対位置を検出することができ、前記ユニットは、例えば、端末デバイス８００のディスプレイおよびキーパッドである。センサユニット８１４は、さらに、端末デバイス８００もしくは端末デバイス８００の１つのユニットの位置変更、ユーザと端末デバイス８００との接触の存在もしくは非存在、端末デバイス８００の方位もしくは加速/減速および端末デバイス８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【０１３１】
通信ユニット８１６は、端末デバイス８００と他の機器間の無線または有線方式の通信ができるように構成される。端末デバイス８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１３２】
実施例では、端末デバイス８００は、上記図１乃至６に示す方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１３３】
実施例では、指令を含む非一時的コンピュータ読み取り可能な記憶媒体、例えば、指令を含むメモリ８０４をさらに提供し、上記指令が端末デバイス８００のプロセッサ８２０によって実行されることで上記図１乃至６に示す方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【０１３４】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１３５】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１３６】
本発明は、出願番号が２０１５１０８５３９００５であり、出願日が２０１５年１１月３０日である中国特許出願を基に提出するものであり、当該中国特許出願の優先権を主張し、当該中国特許出願の全ての内容は、参照のため本願に援用される。
【図１】
0006534655.tif 000002
【図２】
0006534655.tif 000003
【図３】
0006534655.tif 000004
【図４】
0006534655.tif 000005
【図５】
0006534655.tif 000006
【図６】
0006534655.tif 000007
【図７】
0006534655.tif 000008
【図８】
0006534655.tif 000009
【図９】
0006534655.tif 000010
【図１０】
0006534655.tif 000011
【図１１】
0006534655.tif 000012
【図１２】
0006534655.tif 000013
【図１３】
0006534655.tif 000014
【図１４】
0006534655.tif 000015
【図１５】
0006534655.tif 000016